(57)【要約】【課題】  長さ寸法の異なる電池を電池ボックス内に内装したときの電池接片に対する好適な電気接触を可能にする。【解決手段】  開口部を通して長さの短い単３形電池と長さの長いＣＲ−Ｖ３電池を選択して内装するボックス部１１の開口部を開閉する電池蓋１２に、複数の回動位置に設定可能で、所要の回動位置において電池蓋を閉状態にロックするための回動ボタン１３を備える。単３形電池に対応する第１の回動位置に設定したときに蓋側電池接片１７をボックス部１１に向けて強制変形させる。単３形電池を収納したときに蓋側電池接片１７の先端部を強制的に上方に変位させて単３形電池Ｄ１の各底面を押圧してボックス部１１内に大きく押し込み、ＣＲ−Ｖ３電池のような長い電池のときと同様に固定電池接片１４を設計通りに撓ませて電極に接触させることができる。【選択図】  図７
2007035396.tif 000002
【特許請求の範囲】
【請求項１】
開口部を通して長さ寸法の異なる複数種類の電池を選択して内装するボックス部と、前記ボックス部の開口部を開閉でき、閉じたときに前記ボッスク部に内装した電池の電極に電気接触する電池接片を備える電池蓋を有し、前記電池蓋には複数の位置に設定可能で、その設定位置に応じて前記電池接片を異なる突出量で変形させる操作部を備えることを特徴とする電池ボックス。
【請求項２】
前記操作部は前記電池蓋を閉状態にロックするためのロック部材を兼ねていることを特徴とする請求項１に記載の電池ボックス。
【請求項３】
前記操作部は回転操作する回動操作部として構成されていることを特徴とする請求項２に記載の電池ボックス。
【請求項４】
前記ボックス部は開口部を通して長さ寸法の短い第１の電池と長さ寸法の長い第２の電池を選択して内装でき、前記操作部は前記第１の電池に対応する第１の位置に設定したときに前記電池接片の突出量が大きくなるように変形させる構成としたことを特徴とする請求項１ないし３のいずれかに記載の電池ボックス。
【請求項５】
前記回動操作部は半径方向に突出した回動レバーを有し、前記回動操作部が第１の回動位置に設定されたときに前記回動レバーは前記電池接片の裏側に進入して当該電池接片を前記ボックス部の奥方に向けて強制的に弾性変形させ、前記第２の電池に対応する第２の回動位置に設定されたときに前記回動レバーは前記電池接片の裏側から後退して前記電池接片の強制変形を解除することを特徴とする請求項３又は４に記載の電池ボックス。
【請求項６】
前記電池接片は少なくとも一対設けられ、前記回動レバーは導電材で形成され、前記第１の回動位置に設定されたときに前記電池接片を互いに導通させることを特徴とする請求項５に記載の電池ボックス。
【請求項７】
前記ロック部材は、前記操作部の移動に伴って動作され、操作部が前記第１及び第２の位置に設定されているときには前記電池蓋の開閉をロックする位置に移動され、第３の位置に設定されたときに前記ロックを解除する位置に移動されるロック片で構成されることを特徴とする請求項４ないし６のいずれかに記載の電池ボックス。
【請求項８】
前記操作部が前記所定の位置に移動されたときにオン又はオフする電気スイッチを備えてことを特徴とする請求項１ないし７のいずれかに記載の電池ボックス。
【請求項９】
前記第１の電池は単３形電池であり、前記第２の電池はＣＲ−Ｖ３電池であり、前記ボックス部は２本の単３形電池または１本のＣＲ−Ｖ３電池を収納し、前記電池接片は２本の単３形電池の角電極に弾接可能に構成されていることを特徴とする請求項４ないし８のいずれかに記載の電池ボックス。
【発明の詳細な説明】
【技術分野】
【０００１】
本発明は規格の異なる電池を収納することが可能な電池ボックスに関し、特にカメラの電源として用いる電池を収納するのに好適な電池ボックスに関するものである。
【背景技術】
【０００２】
近年のカメラの多くは専用の電池を使用するように構成されている。例えば、リチウム一次電池はリチウム二次電池に較べると重量エネルギ密度と体積エネルギ密度が高く、特に消費電力の高いデジタルカメラの電源に用いて好適である。しかしながら、カメラ用に開発されているリチウム一次電池は製造しているメーカが少なく、販路も未だ十分ではないため海外等では入手が難しくカメラを使用する際には不便を感じることがある。そのため近年では、汎用のリチウム一次電池や専用のリチウム二次電池以外にも海外等でも入手が容易な汎用型の単３形電池を使用することが可能なカメラが提供されている。例えば、特許文献１では、専用電池の電池ボックスを覆うカメラボディの一部を電池室形成部材として引き出し構造とし、この電池室形成部材を引き出したときに専用電池の代わりに単３形電池を格納することができるようにしている。このようにすることで、専用電池が入手できない場合でも、入手し易い単３形電池でカメラを使用することが可能になる。
【特許文献１】特開２００２−２０８３８７号公報
【発明の開示】
【発明が解決しようとする課題】
【０００３】
例えば、リチウム一次電池としてＣＲ−Ｖ３電池を使用するカメラにおいて単３形電池を使用可能にした場合には、両者の電池のサイズの違いにより次のような問題が生じている。すなわち、図９（ａ）のように、単３形電池Ｄ１は所要の径寸法ｄ１及び長さ寸法Ｌ１をした円柱状をしており、図の上端面に正電極＋が、他端面に負電極−が設けられている。ＣＲ−Ｖ３電池Ｄ２は図９（ｂ）のように、単３形電池を２本並列配置したと同様な構成であり、したがって単３形電池とほぼ同じ幅寸法ｄ２を有しているが、長さ寸法Ｌ２は単３形電池Ｄ１よりも若干寸法（略２．５ｍｍ）だけ長く形成され、一端面に正電極＋と負電極−が並んで設けられている。
【０００４】
単３形電池とＣＲ−Ｖ３電池を兼用する電池ボックスでは、例えば、図１０（ａ），（ｂ）は同じ電池ボックス１０内に単３形電池Ｄ１とＣＲ−Ｖ３電池Ｄ２を装填したときの状態を比較して示す断面図である。同図（ａ）では電池ボックス１０内に２本の単３形電池を互いに電極を反対方向に向けて挿入し、電池蓋１２を閉じたときに電池蓋１２で各単３形電池Ｄ１を上方に押圧し、電池ボックス１０の上側の底面に配設した電池接片１４に各電池の正電極＋と負電極−とを接触させ、これと同時に、電池蓋１２に設けた図には表れない電池接片が一方の負電極−と他方の正電極＋に接触して両単３形電池の正電極＋と負電極−とを電池接片により直列接続する。また、同図（ｂ）では電池ボックス１０内にＣＲ−Ｖ３電池を電極を上方に向けて挿入し、電池蓋１２でＣＲ−Ｖ３電池の下面を上方に向けて押圧し、電池ボックス１０の上側の底面に配設した電池接片１４に電極を接触させる。
【０００５】
このように、単３形電池とＣＲ−Ｖ３電池の長さの相違により、電池ボックス１０の底面の電池接片１４の撓み量が相違する。そのため、図１０（ａ）のように長さの短い単３形電池Ｄ１の電極に電池接片１４を適切に弾接させるために電池接片１４のバネ力を設計すると、図１０（ｂ）のように、長さの長いＣＲ−Ｖ３電池Ｄ２を使用したときには電池接片１４の撓み寸法が大きくなり、当該電池接片１４のバネ力が必要以上に大きなものとなる。このバネ力はＣＲ−Ｖ３電池Ｄ２の反対側において電池蓋１２に作用するようになり、電池蓋１２を閉めるときに比較的に大きな力が必要となり、電池蓋１２が閉め難くなる。また、閉じた状態にある電池蓋１２に対しては常時電池接片１２のバネ力が大きい状態で加えられていることになるため、電池蓋１２を開く際に係止を外すための操作も困難になる。逆に電池接片１４のバネ力を小さくすると、長さの短い単３形電池Ｄ１を内装したときに電池接片１４が単３形電池Ｄ１の電極に接する弾接力が小さくなって電気接触が不十分なものになり、例えば電池ボックスに加えられる振動や衝撃によって電極と接片との接触が瞬断されるおそれがある。このような瞬断が生じると、例えばカメラの内部において撮像したデータを処理しているときにデータが破壊されてしまうことがある。
【０００６】
本発明の目的は、長さ寸法の異なる電池を電池ボックス内に内装したときに電池接片に対して好適な電気接触を可能にした電池ボックスを提供するものである。また、本発明の他の目的は電池を内装しあるいは取り出す際における操作を容易に行うことを可能にした電池ボックスを提供するものである。
【課題を解決するための手段】
【０００７】
本発明は、開口部を通して長さ寸法の異なる複数種類の電池を選択して内装するボックス部と、ボックス部の開口部を開閉でき、閉じたときにボッスク部に内装した電池の電極に電気接触する電池接片を備える電池蓋とを有し、電池蓋には複数の位置に設定可能で、その設定位置に応じて電池接片を異なる突出量で形させる操作部を備えることを特徴とする。操作部は電池蓋を閉状態にロックするためのロック部材を兼ねてもよい。また、操作部は回転操作する回動操作部として構成してもよい。
【０００８】
本発明においては、例えば、ボックス部は開口部を通して長さ寸法の短い第１の電池と長さ寸法の長い第２の電池を選択して内装でき、操作部は第１の電池に対応する第１の位置に設定したときに前記電池接片の突出量を大きな寸法で変形させる構成とする。また、例えば、操作部は半径方向に突出した回動レバーで構成され、操作部が第１の回動位置に設定されたときに回動レバーは電池接片の裏側に進入して当該電池接片をボックス部の奥方に向けて強制的に弾性変形させ、第２の電池に対応する第２の回動位置に設定されたときに回動レバーは電池接片の裏側から後退して電池接片の強制変形を解除する。
【発明の効果】
【０００９】
本発明によれば、電池ボックス内に長さの異なる複数種類の電池、例えば、単３形電池のように長さの短い第１の電池を収納したときには、電池蓋を閉めた上で操作部材を第１の位置に設定すれば、電池接片の先端部を強制的に弾性変形して上方に変位し、単３形電池の各底面を押圧して電池ボックスの底面に向けて大きく押し込み、ＣＲ−Ｖ３電池のような長い第２の電池のときと同様に固定電池接片を設計通りに撓ませて電極に接することができる。これにより、電池接片の弾性力を必要以上に大きくしなくても長さの短い電池における好適な電気接触が得られ、外部振動や衝撃による瞬断が防止できる。また、ＣＲ−Ｖ３電池のような長さの長い第２の電池を収納したときには、電池接片の押し込みを小さくすることで電池蓋を閉じる際の力が小さくて済む。さらに、操作部材が電池蓋を閉じた状態にロックするためのロック部材を兼ねた場合には、電池蓋を開閉する際にロック片をスライドさせる際の力が必要以上に大きくなることはなく電池蓋の開閉を容易に行うこともできる。
【発明を実施するための最良の形態】
【００１０】
本発明の好ましい形態として、電池ボックスに収納される２本の長さの短い単３形電池に対応して、電池接片は少なくとも一対設けられ、回動レバーは導電材で形成され、第１の回動位置に設定されたときに電池接片を互いに導通させる構成とすることで、電池接片により２本の単３形電池を直列に接続することができる。また、回動操作部の回動に伴って動作され、回動操作部が第１及び第２の回動位置に設定されているときには電池蓋の開閉をロックする位置に移動され、第３の回動位置に設定されたときにロックを解除する位置に移動されるロック片を備えることで、回動操作部を操作するだけで電池蓋のロックと異なる長さの電池に対する好適な電気接続の設定が可能になる。さらに、回動操作部が第１の回動位置に回動位置されたときにオン又はオフする電気スイッチを備えることで、第１の電池を収納していることを電気的に検知でき、カメラ等の本体側での電池種類の認識が可能になる。
【実施例１】
【００１１】
次に、本発明の実施例を図面を参照して説明する。図１は本発明をデジタルカメラの電池ボックスに適用した実施例１を前面下方から見上げた斜視図である。図１においてカメラボディ１の前面にはレンズ２、ファインダ窓３、ストロボ４等が配設されている。また、図には表れないが、カメラボディ１の上面にはレリーズボタンや各種スイッチが配設され、後面にはＬＣＤ（液晶表示装置）で構成されるモニタが配設されている。さらに、前記カメラボディ１の下飾り１ａの底面には電池ボックス１０のボックス部１１が上方に向けて開口され、このボックス部１１の開口部は前記下飾り１ａの底面の一部を構成している電池蓋１２によって閉じられている。この電池蓋１２は一側部においてヒンジ１２ａにより開閉可能であり、電池蓋１２に設けた回動操作部としての回動ボタン１３を操作して所定の回動位置に設定することで当該電池蓋１２をロックし、あるいはロックを解除するように構成されている。前記電池ボックス１０内には１本のＣＲ−Ｖ３電池を収納でき、あるいはこれに代えて２本の単３形電池を収納できるようになっている。
【００１２】
図２は図１のカメラボディ１から前記電池ボックス１０を取り出した状態の斜視図である。前記電池ボックス１０は下端部を開口した開口部１１ａを有する箱状のボックス部１１と、この開口部１１ａを開閉する前記電池蓋１２とで構成され、それぞれ樹脂成形によって形成される。前記ボックス部１１は正電極と負電極を反対に向けた２本の単３形電池を並列状態に挿入でき、あるいは１本のＣＲ−Ｖ３電池を挿入することができるように内部の形状、寸法が設計されている。前記電池蓋１２は前記ボックス部１１の開口部１１ａの一側においてヒンジ１２ａにより開閉可能に連結されている。前記ボックス部１１の図示上側の底面には弾性のある金属材を曲げ形成した電池接片（以下、固定電池接片と称する）１４が配設されており、ボックス部１１内に挿入された２本の単３形電池の一方の電池の正電極＋と他方の電池の負電極−にそれぞれ接触し、あるいはＣＲ−Ｖ３電池の２つの電極に接触し、カメラボディ１内の回路に電気接続される。
【００１３】
図３（ａ），（ｂ），（ｃ）はそれぞれ前記電池ボックス１０内に電池を収納していない状態の電池蓋の底面図、Ａ−Ａ線断面図、電池蓋の内面図である。図３（ａ）のように、前記電池蓋１２の表面には前記回動ボタン１３の頭部が露呈されており、回動ボタン１３の表面に凹設した指標を兼ねる径方向の溝１３ａを利用してコイン等によって回動操作することで当該回動ボタン１３を３つの異なる回動位置に設定できるようになっている。第１の回動位置「ＵＶ３」は単３形電池を用いる位置であり、第２の回動位置「ＣＲ−Ｖ３」はＣＲ−Ｖ３電池を使用する位置であり、第３の回動位置「ＯＰＥＮ」は電池蓋１２を開く位置である。
【００１４】
図３（ｃ）及び図４の前記電池蓋１２の内面側部位を拡大した斜視図を参照すると、前記電池蓋１２の内面には周縁に沿って所要の高さの壁部１８が延設されており、この壁部１８で囲まれた領域のほぼ中央に前記回動ボタン１３の回動軸１３ｂが突出されている。この回動軸１３ｂには円形ボス１５が一体的に取着され、さらに回動レバー１６が一体的に取着されている。また、前記回動軸１３ｂを平面方向に挟む位置で、前記ボックス部１１内に収納される２本の単３形電池にそれぞれ対向する位置に一対の電池接片（以下、蓋側電池接片と称する）１７が配設される。これらの蓋側電池接片１７は弾性を有する金属板で形成されており、電池蓋１２の内面に対して垂直な方向に弾性変形できるように基端部が電池蓋１２の内面にカシメ等により固定され、先端部１７ａは単３形電池の電極に接触することができるように板厚方向に円弧状に曲げ形成されている。ここで、各先端部１７ａは前記壁部１８の上面とほぼ同じ高さとなるように設定されている。
【００１５】
前記円形ボス１５は、図３（ｃ）に示されるように、周面の一部にフランジ１５ａが一体に形成され、このフランジ１５ａの円周方向の３箇所に中心方向に向けてほぼ三角状の凹部１５ｂが形成されている。また、前記電池蓋１２の内面の一部には円形ボス１５の周面に対向するように弾性部材で形成された三角形状のクリックバネ１９の両端が支持されており、このクリックバネ１９の頂部１９ａが前記円形ボス１５の周面に対して弾接され、クリック機構として構成されている。このクリック機構では、回動ボタン１３が第１、第２、第３の各回動位置にまで回動操作されたときにクリックバネ１９の頂部１９ａが凹部１５ｂに係合され、この係合によって回動ボタン１３に回動方向の節度を与え、各回動位置において安定に保持するようになっている。
【００１６】
前記電池蓋１２の内面には前記壁部１８とほぼ同じ高さの複数の当接壁１８ａが形成されており、この当接壁１８ａの上面はボックス部１１内にＣＲ−Ｖ３電池を収納したときに当該電池の底面に当接される電池当接部として構成される。前記壁部１８及び当接壁１８ａの一部には切欠１８ｂが設けられ、この切欠１８ｂ内にはスライド動作が可能な細長い板状のロック片２０が配設されている。ロック片２０の先端部２０ｂはカメラボディ１の下飾り１ａに設けられた切欠１ｂに臨まされており、ロック片２０が長さ方向にスライドして当該切欠１ｂの内部にまで進入したときに電池蓋１２が下飾り１ａに対して開閉動作することをロックし、切欠１ｂから後退したときに電池蓋１２を開くことが可能にされている。当該ロック片２０の基端部には円弧状をしたフック２０ａが形成されており、このフック２０ａは前記円形ボス１５の周面一部から半径方向に突出した係合ピン１５ｃに係合可能であり、回動ボタン１３の回動に伴って円形ボス１５が回動し、係合ピン１５ｃがフック２０ａに係合したときに回動ボタン１３の回動に伴ってロック片２０はスライド移動される。ここでは回動ボタン１３が第１及び第２の位置に回動位置されたときにはロック片２０は先端部２０ｂが下飾り１ａの切欠１ｂ内に進入し、電池蓋１２をロック状態にする。また、回動ボタン１３が第３の位置に回動位置されたときにはロック片２０の先端部２０ｂが下飾り１ａの切欠１ｂから後退され、電池蓋１２をヒンジ１２ａを支点にして開いてボックス部１１の開口部を開放し、電池の収納が可能とされる。
【００１７】
前記回動ボタン１３に一体化されている前記回動レバー１６は互いに１８０°の半径方向に向けて突出された一対のレバー１６ａを有しており、回動ボタン１３と共に回動される。各レバー１６ａの先端部はそれぞれ前記一対の蓋側電池接片１７に届く長さに形成されており、回動ボタン１３が第１の位置に移動されたときに、各レバー１６ａはそれぞれ蓋側電池接片１７の先端側から下側に潜り込み、各蓋側電池接片１７の先端部１７ａを上方に向けて強制的に弾性変形させるようになっている。
【００１８】
また、前記電池蓋１２の内面の前記円形ボス１５の一側に検知スイッチ２１が配設されている。この検知スイッチ２１は円形ボス１５の側面の一部から半径方向に突出した検知レバー１５ｄの移動軌跡に臨む位置に配設されており、回動ボタン１３が第１の位置に回動されたときに検知レバー１５ｄが検知スイッチ２１に当接し、その接点を開いてオフするように構成される。
【００１９】
以上の構成の電池ボックス１０に電池を内装し、また取り出す際の操作を説明する。図３（ａ）において回動ボタン１３を回動操作して最も反対時計方向の第３の位置「ＯＰＥＮ」に設定すると、当該回動ボタン１３は図３（ｃ）及び図４では最も時計方向に回動位置され、円形ボス１５の係合ピン１５ｃがロック片２０のフック２０ａに係合したまま円形ボス１５と共に回動し、ロック片２０は先端方向にスライドされその先端部２０ｂが下飾り１ａの切欠１ｂ内から後退される。これにより、ロック片２０による電池蓋１２のロックが解除され、電池蓋１２はヒンジ１４を支点にして開閉することができるようになる。そして、電池蓋１２を開いたときにはボックス部１１の開口部が開放され、電池の収納が可能になる。このときクリックバネ１９は円形ボス１５の１つの凹部１５ｂに係合するため、そのバネ力によって回動ボタン１３を当該回動位置に保持し、ロック解除状態を保持することができる。
【００２０】
一方、図５及び図６はそれぞれ図３及び図４に対応する図であり、電池ボックス１０のボックス部１１内にＣＲ−Ｖ３電池Ｄ２を内装したときには、電池蓋１２を閉じて回動ボタン１３を図５（ａ）の時計方向、図５（ｃ）及び図６の反時計方向に回動し、第２の位置「ＣＲ−Ｖ３」に設定する。これにより、円形ボス１５の係合ピン１５ｃがロック片２０をスライドさせて先端部２０ｂを下飾り１ａの切欠１ｂ内に進出させ、ロック片２０が下飾り１ａの内面に当接されるため電池蓋１２を開くことができなくなり、ロック状態となる。また、電池蓋１２を閉じたときには、当接壁１８ａの上面がＣＲ−Ｖ３電池Ｄ２の底面に当接する。このとき、前述のように一対の蓋側電池接片１７の先端部１７ａを当接壁１８ａの上面とほぼ同じ高さ位置に設定しておけば、これらの先端部１７ａもＣＲ−Ｖ３電池Ｄ２の底面に当接する。したがって、ボックス部１１内に収納されたＣＲ−Ｖ３電池Ｄ２は図５（ｂ）に示すようにボックス部１１内の固定電池接片１４に弾性的に接触して電気的に接続され、カメラに対してＣＲ−Ｖ３電池Ｄ２の電力を供給することが可能になる。なお、クリックバネ１９は円形ボス１５の他の１つの凹部１５ｂに係合するため、そのバネ力によって回動ボタン１３を当該回動位置に保持することができることは言うまでもない。
【００２１】
一方、図７及び図８はそれぞれ図３及び図４に対応する図であり、電池ボックス１０のボックス部１１内に単３形電池Ｄ１を収納したときには、回動ボタン１３を図７（ａ）の時計方向、図７（ｃ）及び図８の反時計方向に回動して第１の位置「ＵＭ３」に設定する。このとき係合ピン１５ｃはロック片２０のフック２０ａから外れるがロック片２０の先端部２０ｂは依然として下飾り１ａの切欠１ｂ内に保持されており、電池蓋１２のロック状態が保持される。また、円形ボス１５の回動により検知レバー１５ｄが検知スイッチ２１を作動させてオフし、電池ボックス１０に単３形電池Ｄ１が収納されていることを検出する。また、回動ボタン１３が第１の位置に移動されると、図７（ｂ）に示すように回動レバー１６の各レバー１６ａが一対の蓋側電池接片１７の裏側の電池蓋１２の内面との間に進入して蓋側電池接片１７の先端部１７ａを寸法ｈだけ上方に向けて強制的に変形させる。このように当該先端部１７ａは壁部１８や当接壁１８ａの上面よりも高い位置に変位されると、ボックス部１１内の単３形電池Ｄ１はそれぞれ蓋側電池接片１７に押されてボックス部１１の上方に向けられた奥方向に押し込まれることになり、固定電池接片１４を十分に撓めた状態でそれぞれ固定電池接片１４に接触することになる。このとき、電池蓋１２の一対の蓋側電池接片１７はそれぞれ２本の単３形電池Ｄ１の各電極に接触してすると共に、導電性の回動レバー１６との接触により一対の蓋側電池接片１７が互いに電気接続されるので、２本の単３形電池Ｄ１は直列に電気接続されることになる。なお、クリックバネ１９は円形ボス１５のさらに他の１つの凹部１５ｂに係合するため、そのバネ力によって回動ボタン１３を当該回動位置に保持することができることは言うまでもない。
【００２２】
このように、電池ボックス１０内に単３形電池Ｄ１又はＣＲ−Ｖ３電池Ｄ２を収納したときには、電池蓋１２を閉めた上で回動ボタン１３を第１の位置または第２の位置に設定すれば、各電池のそれぞれに対して固定電池接片１４を好適な状態に撓ませて接触させることができる。すなわち、電池ボックス１０内にＣＲ−Ｖ３電池Ｄ２を収納したときには、電池蓋１２は当接壁１８ａの上面でＣＲ−Ｖ３電池Ｄ２の底面に当接し、あるいは電池蓋１２の蓋側電池接片１７が通常の状態でＣＲ−Ｖ３電池Ｄ２の底面に当接するのみであるので、ＣＲ−Ｖ３電池Ｄ２をボックス部１１の底面に向けて押し込む力は小さく、固定電池接片１４を設計通りの撓み量でＣＲ−Ｖ３電池Ｄ２の電極に接触させることができ、好適な電気接触状態となる。また、電池ボックス１０内に単３形電池Ｄ１を収納したときには、強制的に弾性変形されて上方に変位された蓋側電池接片１７の先端部１７ａによって単３形電池Ｄ１の各底面を押圧するので、単３形電池Ｄ１はボックス部１１の底面に向けて大きく押し込まれ、その結果ＣＲ−Ｖ３電池Ｄ２のときと同程度に固定電池接片１４を撓ませて単３形電池Ｄ１の電極に接触させることができる。したがって、固定電池接片１４の弾性力を必要以上に大きく設計しなくても単３形電池Ｄ１における好適な電気接触が得られ、外部振動や衝撃による瞬断が防止できる。また、固定電池接片１４の弾性力を小さくすることでＣＲ−Ｖ３電池Ｄ１を収納した場合に電池蓋１２を閉めるときの力を小さくできるとともに、ロック片２０が下飾り１ａの内面に当接する力も小さくなり、電池蓋１２を開閉する際のロック片２０のスライド力（摩擦力）を小さくでき、電池蓋１２を開閉する際の回動ボタン１３の操作を容易に行うこともできる。さらに、回転ボタン１３を操作するだけで電池蓋１２のロックとその解除を行うとともに電池の種類に対応した好適な電池接片への接触を行うことができるので、電池ボックスの構成部品がいたずらに増大することもない。
【００２３】
ここで、ＣＲ−Ｖ３電池の電圧と単３形電池の電圧は若干相違しているため、実施例においては電池ボックス１０内に単３形電池Ｄ１を収納したときにオフされる検知スイッチ２１を備え、この検知スイッチ２１からの電気信号をカメラボディ１側に伝達させる構成としていることで、カメラボディ１側において単３形電池Ｄ１が収納されていることを認識し、電池電圧の相違に対応してカメラ内回路の適正化を図ることに利用する。あるいは、現在電池ボックス１０に収納されている電池がＣＲ−Ｖ３電池Ｄ２又は単３形電池Ｄ１のいずれかであるかをカメラ使用者に対して報知する際に利用することも可能である。
【００２４】
前記実施例では１本のＣＲ−Ｖ３電池と２本の単３形電池のいずれかを収納可能な電池ボックスとして例示したが、２本のＣＲ−Ｖ３電池と４本の単３形電池を選択して収納可能な電池ボックスに適用することも可能である。この場合には、例えば回動レバーを４方向に突出させ、回動ボタンの回動によって４つの蓋側電池接片を強制的に変形させるようにすればよい。
【００２５】
また、前記実施例では単３電池とＣＲ−Ｖ３電池を使用することが可能な電池ボックスの例を示したが、長さ及び形状の異なる電池をそれぞれ使用することが可能であれば、３種類以上の長さの異なる電池を使用する電池ボックスについても同様に適用することが可能である。また、本発明はカメラの電池ボックスに限られるものではなく、電池を電源とする各種電子機器の電池ボックスに適用することが可能である。
【００２６】
さらに、実施例では本発明の操作部材として回動操作する回動レバーを用いた構成としているが、電池蓋の表面に沿ってスライド操作して電池接片の押し込み量を変化させるスライド部材として構成してもよい。また、操作部材は実施例のように必ずしもロック部材と兼用させる必要はなく、独立した操作部材として構成してもよいことは言うまでもない。
【図面の簡単な説明】
【００２７】
【図１】本発明を適用した実施例のカメラを前面側の下方向から見た斜視図である。
【図２】実施例１の電池ボックスの概略斜視図である。
【図３】電池を収納していない状態の電池蓋の表面図、そのＡ−Ａ線断面図、電池蓋の内面図である。
【図４】電池を収納していないときの電池蓋の内部状態の拡大斜視図である。
【図５】ＣＲ−Ｖ３電池を収納した状態の図３と同様の図である。
【図６】ＣＲ−Ｖ３電池を収納したときの電池蓋の内部状態の拡大斜視図である。
【図７】単３形電池を収納した状態の図３と同様の図である。
【図８】単３形電池を収納したときの電池蓋の内部状態の拡大斜視図である。
【図９】長さの異なる単３形電池とＣＲ−Ｖ３電池の外観図である。
【図１０】長さの異なる電池を収納した際の問題点を説明する図である。
【符号の説明】
【００２８】
１  カメラボディ
１０  電池ボックス
１１  ボックス部
１２  電池蓋
１３  回動ボタン（回動操作部）
１４  固定電池接片
１５  円形ボス
１６  回動レバー
１７  蓋側電池接片
１８  壁部
１８ａ  当接壁
１９  クリックバネ
２０  ロック片
２１  検知スイッチ
Ｄ１  単３形電池
Ｄ２  ＣＲ−Ｖ３電池
【図１】
2007035396.tif 000003
【図２】
2007035396.tif 000004
【図３】
2007035396.tif 000005
【図４】
2007035396.tif 000006
【図５】
2007035396.tif 000007
【図６】
2007035396.tif 000008
【図７】
2007035396.tif 000009
【図８】
2007035396.tif 000010
【図９】
2007035396.tif 000011
【図１０】
2007035396.tif 000012